(57)【要約】  【課題】アトピー性皮膚炎の者（特に幼児や子供など、以下患者という）が、睡眠中に無意識の内に手の指でからだの各部を掻きむしるのを防止するため、手の指でからだの表面を傷つけるのを防止する手袋を提供する。  【解決手段】手袋１の手袋本体２の５本の指に対応する指挿入部３ａ〜３ｅの各々の先端部分に、硬質の合成樹脂材料製のキャップ体４ａ〜４ｅを固着し、手袋本体２の手首対応部５を手首に固定する固定手段６を設け、この固定手段６を被う折り返し部７を、手袋本体の腕側端部に連結し、折り返し部７に親指と小指を夫々通す親指通し穴８と小指通し穴９を形成し、手袋１を手に装着し、折り返し部７を手側へ折り返して、引き延ばしながら親指通し穴８と小指通し穴９に親指と小指を夫々通すことで、折り返し部７が腕側へもどらないように構成し、固定手段６の外側を折り返し部７で被った状態に保持し、手袋１を手から外しにくくしてある。【選択図】  図１
2005054337.tif 000002
【特許請求の範囲】
【請求項１】
手の指で体の表面を傷つけるのを防止するための手袋において、
５本の指を夫々挿入可能な５つの指挿入部を備えた手袋本体と、
５つの指挿入部の少なくとも先端部分に夫々外嵌状に付設された５つのキャップ体であって、少なくとも表層部が硬質の合成樹脂材料で構成された５つのキャップ体と、
を備えたことを特徴とする手袋。
【請求項２】
手の指で体の表面を傷つけるのを防止するための手袋において、
５本の指を夫々挿入可能な５つの指挿入部を備えた手袋本体と、
５つの指挿入部の少なくとも先端部分に夫々外嵌状に付設された５つのキャップ体であって、少なくとも表面が低摩擦面に構成された５つのキャップ体と、
を備えたことを特徴とする手袋。
【請求項３】
前記手袋本体は手首に被さる手首対応部を有し、この手首対応部を手首に固定する為の固定手段を設けたことを特徴とする請求項１又は２に記載の手袋。
【請求項４】
前記手首対応部の腕側端部に連結されたほぼ筒状の折り返し部であって手側へ折り返した状態で一部が手首対応部に外嵌される折り返し部を設けたことを特徴とする請求項３に記載の手袋。
【請求項５】
前記折り返し部に親指通し穴と小指通し穴とを設け、これら親指通し穴と小指通し穴に夫々親指と小指とを通すことにより折り返し部を折り返し状態に保持するように構成したことを特徴とする請求項４に記載の手袋。
【請求項６】
前記手袋本体が通気性に優れる薄手の布で構成され、キャップ体が指挿入部に接着により結合されたこと特徴とする請求項１〜５の何れかに記載の手袋。
【請求項７】
前記折り返し部が伸縮性のある薄手の布で構成され、この折り返し部に、腕側端部から所定長さ切り欠いた折り返し促進用切欠き部を形成したことを特徴とする手袋。
【発明の詳細な説明】
【技術分野】
【０００１】
本発明は、手の指でからだの表面を傷つけるのを防止するための手袋に関し、アトピー性皮膚炎の者（特に幼児や子供など、以下患者という）が、睡眠中に無意識の内に手の指でからだの各部を掻きむしるのを防止するための手袋に関する。
【背景技術】
【０００２】
アトピー性皮膚炎は、アレルギー性疾患であり、皮膚がカサカサになったり、湿疹状になったりするが、非常な痒みを伴い、睡眠中に無意識の内に指の爪で、からだの各部を出血する程掻きむしり、皮膚を傷つけ、細菌の侵入を招き、ますます皮膚炎が悪化てしてしまうという悪循環に陥る。アトピー性皮膚炎は、幼児や子供に多く、成長するにつれて改善されるが、成人になった後も完治せずに、長期の治療を要する者も少なくない。
本願の発明者自身も、成人になった後も重症のアトピー性皮膚炎であったが、強固な意志により体の各部を掻きむしるのをやめてから、症状が著しく改善しほぼ完治した。
【０００３】
そこで、従来から掻きむしり防止の対策品として、種々の手袋が提案されてきた。手袋を薄手の通気性のよい生体に優しい滑り易い生地で製作し、5 指に対応する５つの指挿入部を形成した手袋が市販されている。また、手首部にバンドや紐を設け、睡眠中に外しにくくした手袋も市販されている。特許文献１には、手をそっくりいれることのできる乳幼児用の袋状の手袋が開示されている。この手袋は、内袋と外袋の二重構造であり、手の平がわでは、内袋と外袋の間に滑り易いキュプラ製の生地が設けられ、乳幼児が手袋を装着した手で患部を引っ掻こうとしても、外袋とキュプラ製の生地との間に滑りが生じて効果的に引っ掻くことができないようになっている。そして、手首部には、手袋の手首対応部を手首部に固定するためのバンドと留め具とが設けられている。
【０００４】
特許文献２には、乳幼児の腕、肘部のみを布地で巻いて包み込み、肘を曲げられなくする拘束手段を設けた、顔や頭等を掻きむしるのを防ぐ掻きむしり防止用具が開示されている。特許文献３には、１対の中空の筒状本体に本体同士を連結する紐、ベルト等の連結具を具備した用具を乳幼児の腕に通して装着させ、乳幼児の腕の屈曲を拘束する掻きむしり防止具が開示されている。これらの掻きむしり防止用具は肘を拘束したり、両腕の自由度を拘束したりするものであるから、乳幼児等にしか使用できないし、装着状態において相当のストレスの原因となるので好ましくない。
【特許文献１】特開平９−５９８０９号公報
【特許文献２】特開２００１−３２９４０８号公報
【特許文献３】特開２００３−２４３５８号公報
【発明の開示】
【発明が解決しようとする課題】
【０００５】
前記の５指に対応する指挿入部を有する手袋を採用する場合、患者が患部を直接指、爪で掻きむしる事は防げるが、手袋をした指先でからだの各部を引っ掻くことも可能であるため、手袋をしただけでは完全には引っ掻きを防止できない。通気性のよい滑り易い薄手生地からなる手袋の場合、手袋をしたままでも指の爪で引っ掻き易くなるので、あまり効果的でない。特許文献１に記載のような二重構造の手袋の場合、手が暑苦しく使い勝手の悪いものとなり、幼児や子供が装着するのを嫌うようになる。また、手袋の手首部にバンドや紐を設けた場合でも、手袋により手が暑苦しくなるため、睡眠中に無意識的にバンドや紐を解いて手袋を外してしまうという問題もある。
【０００６】
本発明の目的は、手の指で体の表面を傷つけるのを防止するための手袋であって、指の先端部分で体の各部を全く引っ掻くことができないような手袋を提供することである。
【課題を解決するための手段】
【０００７】
請求項１の手袋は、手の指で体の表面を傷つけるのを防止するための手袋において、５本の指を夫々挿入可能な５つの指挿入部を備えた手袋本体と、５つの指挿入部の少なくとも先端部分に夫々外嵌状に付設された５つのキャップ体であって、少なくとも表層部が硬質の合成樹脂材料で構成された５つのキャップ体とを備えたものである。
【０００８】
手袋本体の５つの指挿入部の先端部分に夫々外嵌状に５つのキャップ体を付設し、各キャップ体の少なくとも表層部は硬質の合成樹脂材料で構成されているので、手袋を嵌めた手の指の先端で体の各部を引っ掻いたとしても、キャップ体を介して引っ掻くことになるが、そのキャップ体の少なくとも表層部は硬質の合成樹脂材料で構成されているため、滑り易く摩擦力が殆ど作用しないので、患部へ接触した際の患部への刺激が極めて小さく効果的に引っ掻くことができない。こうして、体を引っ掻いたときの快感がなくなるため、益々引っ掻かなくなる。
【０００９】
また、指挿入部の先端部分に外嵌状に付設されるキャップ体を介して引っ掻きにくく構成したため、手袋本体を、十分に薄手の通気性に優れる生地を用いて製作することかできるから、着用状態で厚苦しくない快適な手袋を実現することができる。
尚、キャップ体を指挿入部に接着等により結合することが望ましいが、結合する手段は、接着に限定されるわけではなく、指挿入部とキャップ体とを一体的に成形することも可能である。前記キャップ体の先端部は突曲面状又は半球面状に形成するのが望ましく、また、キャップ体の全体を硬質の合成樹脂材料で構成してもよい。
【００１０】
請求項２の手袋は、手の指で体の表面を傷つけるのを防止するための手袋において、５本の指を夫々挿入可能な５つの指挿入部を備えた手袋本体と、５つの指挿入部の少なくとも先端部分に夫々外嵌状に付設された５つのキャップ体であって、少なくとも表面が低摩擦面に構成された５つのキャップ体とを備えたものである。
【００１１】
手袋本体の５つの指挿入部の先端部分に夫々外嵌状に５つのキャップ体を付設し、各キャップ体の少なくとも表面が低摩擦面に構成されているので、手袋を嵌めた手の指の先端で体の各部を引っ掻いたとしても、キャップ体を介して引っ掻くことになるが、そのキャップ体の少なくとも表面が低摩擦面に構成されているため、滑り易く摩擦力が殆ど作用しないので、患部へ接触した際の患部への刺激が極めて小さく効果的に引っ掻くことができない。こうして、体を引っ掻いたときの快感がなくなるため、益々引っ掻かなくなる。
【００１２】
また、指挿入部の先端部分に外嵌状に付設されるキャップ体を介して引っ掻きにくく構成したため、手袋本体を、十分に薄手の通気性に優れる生地を用いて製作することかできるから、着用状態で手が厚苦しくない快適な手袋を実現することができる。
尚、キャップ体を指挿入部に接着等により結合することが望ましいが、結合する手段は、接着に限定されるわけではなく、指挿入部とキャップ体とを一体的に成形することも可能である。前記キャップ体の先端部は突曲面状又は半球面状に形成するのが望ましい。
【００１３】
請求項３の手袋は、請求項１又は２の発明において前記手袋本体は手袋に被さる手首対応部を有し、この手首対応部を手首に固定する為の固定手段を設けたものである。そのため、手袋を手に装着後に、固定手段により手首対応部を手首に固定すれば、睡眠中に無意識的に手袋を手から外すのを防止することができる。
【００１４】
請求項４の手袋は、請求項３の発明において、前記手袋本体は手首対応部の腕側端部に連結されたほぼ筒状の折り返し部であって手側へ折り返した状態で一部が手首対応部に外嵌される折り返し部を設けたものである。前記のような折り返し部を設けたので、手首対応部の外面に折り返し部を折り返しておくことで、睡眠中に無意識的に固定手段を解除しにくくなる。
【００１５】
請求項５の手袋は、請求項４の発明において、前記折り返し部に親指通し穴と小指通し穴とを設け、これら親指通し穴と小指通し穴に夫々親指と小指とを通すことにより折り返し部を折り返し状態に保持するように構成したものである。これにより、睡眠中に手が激しく動いたとしても、また、無意識的に折り返し部を折り返さない状態に戻そうとしても、親指と小指とから簡単には外れないため、折り返し部を折り返し状態に保持し、固定手段を固定状態に維持し、手袋を着用状態に維持しやすくなる。
【００１６】
請求項６の手袋は、請求項１〜５の何れかの発明において、前記手袋本体が通気性に優れる薄手の布で構成され、キャップ体が接着により指挿入部に結合されたことを特徴とするものである。従って、手袋本体が通気性に優れるため、長時間着用しても手が暑苦しくならず、違和感なく快適に手袋を着用することができる。
また、キャップ本体が接着により指挿入部に結合されているため、指挿入部にキャップ体を強固に全面的に結合することができ、指挿入部にキャップ体を結合する構造が簡単になり、製作コスト的にも有利である。
【００１７】
請求項７の手袋は、前記折り返し部が伸縮性のある薄手の布で構成され、この折り返し部に、腕側端部から所定長さ切り欠いた折り返し促進用切欠き部を形成したものである。従って、折り返し部が伸縮性のある薄手の布で構成されているため、着用中に折り返し部で手首や手が締め付けられることがない。折り返し促進用切欠き部を形成したので、折り返し部を折り返す際に、折り返し易くなる。
【発明の効果】
【００１８】
請求項１の発明によれば、手袋本体には５本の指を夫々挿入可能な５つの指挿入部を設け、各指挿入部の少なくとも先端部分にキャップ体を外嵌状に付設し、キャップ体の少なくとも表層部を硬質の合成樹脂材料で構成したので、手袋を装着して睡眠中に、体の患部を引っ掻く際に、指や爪で患部を直接引っ掻くことができず、キャップ体を介して引っ掻くことになる。このとき、キャップ体の表面は患部に対して滑りやすく、先端は突曲面状になっていて尖っている訳でもないので、患部に刺激を与えたり、患部を傷つけたりするのを確実に防止することができる。しかも、睡眠中に患部を引っ掻いたときの効果（快感）がなくなるため、益々引っ掻かなくなる。
【００１９】
しかも、指挿入部の先端部分に外嵌状に付設されるキャップ体を介して引っ掻きにくく構成したため、手袋本体を、十分に薄手の通気性に優れる生地を用いて製作することかできるから、着用状態で手が厚苦しくない快適な手袋を実現することができる。
【００２０】
請求項２の発明によれば、手袋本体には５本の指を夫々挿入可能な５つの指挿入部を設け、各指挿入部の少なくとも先端部分にキャップ体を外嵌状に付設し、キャップ体の少なくとも表面を低摩擦面に構成したので、手袋を装着して睡眠中に、体の患部を引っ掻く際に、指や爪で患部を直接引っ掻くことができず、キャップ体を介して引っ掻くことになる。このとき、キャップ体の表面は患部に対して滑りやすく、先端は突曲面状になっていて尖っている訳でもないので、患部に刺激を与えたり、患部を傷つけたりするのを確実に防止することができる。しかも、睡眠中に患部を引っ掻いたときの効果（快感）がなくなるため、益々引っ掻かなくなる。
【００２１】
しかも、指挿入部の先端部分に外嵌状に付設されるキャップ体を介して引っ掻きにくく構成したため、手袋本体を、十分に薄手の通気性に優れる生地を用いて製作することかできるから、着用状態で手が厚苦しくない快適な手袋を実現することができる。
【００２２】
請求項３の発明によれば、手袋本体は手首に被さる手首対応部を有し、この手首対応部を手首に固定する為の固定手段を設けたので、固定手段により手首対応部を手首に固定することで、手袋を手に装着した装着状態を保持することができる。
【００２３】
請求項４の発明によれば、手袋本体手首対応部の腕側端部に連結されたほぼ筒状の折り返し部であって手側へ折り返した状態で一部が手首対応部に外嵌される折り返し部を設けたので、手首対応部の外面に折り返し部を折り返しておくことで、睡眠中に無意識的に固定手段を解除しにくくなる。
【００２４】
請求項５の発明によれば、手袋折り返し部に親指通し穴と小指通し穴とを設け、これら親指通し穴と小指通し穴に夫々親指と小指とを通すことにより折り返し部を折り返し状態に保持可能に構成したので、睡眠中に手が激しく動いたとしても、また、無意識的に折り返し部を折り返さない状態に戻そうとしても、親指と小指とから簡単には外れないため、折り返し部を折り返し状態に保持し、固定手段を固定状態に維持し、手袋を着用状態に維持しやすくなる。
【００２５】
請求項６の発明によれば、手袋本体を通気性のある薄手の布で構成し、キャップ体が接着により指挿入部に結合されたので、手袋本体が通気性に優れるため、長時間着用しても手が厚苦しくならず、違和感なく快適に手袋を着用することができる。また、キャップ本体が接着により指挿入部に結合されているため、指挿入部にキャップ体を強固に全面的に結合することができ、指挿入部にキャップ体を結合する構造が簡単になり、製作コスト的にも有利である。
【００２６】
請求項７の発明によれば、折り返し部が伸縮性のある薄手の布で構成され、この折り返し部に、腕側端部から所定長さ切り欠いた折り返し促進用切欠き部を形成したので、着用中に折り返し部で手首や手が締め付けられることがなく、また、折り返し部を折り返す際に、折り返し易くなる。
【発明を実施するための最良の形態】
【００２７】
本発明に係る手袋は、アトピー性皮膚炎にかかっているものが夜睡眠中に使用するのに適した手袋であって手の指で体の表面を傷つけるのを防止する手袋において、５本の指を夫々挿入可能な５つの指挿入部を備えた手袋本体と、この５つの指挿入部の少なくとも先端部分に夫々外嵌状に付設された５つのキャップ体を備えたものである。各キャップ体の少なくとも表層部は硬質の合成樹脂材料で構成するのが望ましく、或いは、各キャップ体の表面が低摩擦面に構成するのが望ましい。
【実施例】
【００２８】
図１に示すように、手の指で体の表面を傷つけるのを防止する手袋１は、手袋本体２と、この手袋本体２に形成した５本の指を夫々挿入可能な５つの指挿入部３ａ〜３ｅと、５つのキャップ体４ａ〜４ｅと、手袋手首対応部５に設けた固定手段６と、折り返し部７とを有する。この手袋１のサイズとして、乳幼児から大人までを対象として、複数種類のサイズが設定されるが、本実施形態では、例えば、５歳位の子供が使用する左手用の手袋を例として説明する。尚、実際には右手用の手袋も使用される。
【００２９】
先ず、手袋本体２について説明する。手袋本体２には、通常の手袋と同様に、５本の指が夫々挿入可能な５つの指挿入部３ａ〜３ｅが形成され、指挿入部３ａ〜３ｅは対応する各指の大きさより幾分大きめの着用し易い大きさに形成されている。手袋本体２は、手首を被う手首対応部５を有し、この手首対応部５を手首に固定するための固定手段６を設け、手首対応部５の腕側端部には、折り返し部７が設けられている。
【００３０】
次に、手袋本体２を構成する生地について説明する。手袋本体２は、キュプラにポリエステルを混紡した薄手の生地で構成されている。キュプラは肌に優しいセルロース系の繊維であるため、この生地は、低摩擦で滑り性がよく、吸汗性もよく、伸縮性もあり、耐久性に優れるため、この手袋１に好適である。但し、手袋本体２を構成する生地としては、このキュプラを主体とする上記の生地に限定される訳ではなく、上記の特性に近い特性のその他の生地（キュプラとその他の合成繊維を配合した混紡の生地、綿布、シルク製の生地、その他の種々の生地）のなども採用可能である。手袋本体２を構成する上記の生地は、極力通気性に優れた薄手のものであることが望ましく、通気性を高めるために、縁が滑らかな多数の小穴を形成した生地でもよい。
【００３１】
次に、キャップ体４ａ〜４ｅについて説明する。５つの指挿入部３ａ〜３ｅに夫々外嵌状に付設された５つのキャップ体４ａ〜４ｅが設けられ、各キャップ体４ａ〜４ｅは、対応する指挿入部３ａ〜３ｅの少なくとも先端部分に少なくとも指の第１関節部を被う状態にして、対応する指挿入部３ａ〜３ｅに外嵌状に付設され、各キャップ体４ａ〜４ｅの内面のほぼ全面が対応する指挿入部３ａ〜３ｅの外面に接着剤にて接着されている。キャップ体４ａ〜４ｅは、例えば、ポリプロピレンやアクリル樹脂やナイロン等の硬質の合成樹脂材料（透明又は不透明）、或いはポリエチレン等の半硬質の合成樹脂材料（透明又は不透明）で薄肉（例えば、厚さ０．４〜１．０ｍｍ）に円形断面状に形成された成形品からなり、着用状態で対応する指の第１関節まで覆い得る長さを有し、キャップ体４ａ〜４ｅの表面には低摩擦の滑り性が良好な低摩擦面が形成されている。キャップ体４ａ〜４ｅの先端部は、ほぼ半球状又は突曲面状に形成されている。
【００３２】
尚、キャップ体４ａ〜４ｅを構成する合成樹脂材料は前記のものに限定されず、キャップ体４ａ〜４ｅの長さも少なくとも第１関節を被い得る長さを有していればよく、第２関節まで被い得る長さに形成してもよい。キャップ体４ａ〜４ｅの厚さも前記の値に限定される訳ではない。図２に示すように、キャップ体４ａ〜４ｅの開口部の周縁部１１は滑らかで丸みを帯びた形状になっている。これは、この周縁部１１でもって体の患部を引っ掻くのを防止する為である。
【００３３】
次に、固定手段５について説明する。図１に示すように、手袋本体２には、手袋１を着用した状態で手首に被さる手首対応部５が設けられ、この手首対応部５を手首に固定するための固定手段６が設けられている。固定手段６は、手首対応部５の表面に固着された固定側ファスナー片６ａと、一端部が手首対応部５の表面に固着された可動側ファスナー片６ｂであって固定側ファスナー片６ａに結合可能な可動側ファスナー片６ｂとで構成されている。ファスナー片は６ａ，６ｂは、通称マジックテープ（登録商標）と称するもので構成されている。
【００３４】
次に、折り返し部７について説明する。手袋本体２の手首対応部５の腕側端部には、ほぼ筒状の折り返し部７であって、手側へ折り返した状態において一部が手首対応部５に外嵌される折り返し部７が設けられている。この折り返し部７は、薄手の伸縮性のある生地で構成されている。折り返し部７には親指通し穴８と小指通し穴９とが形成され、折り返し部７を手側へ折り返した状態において、これら親指通し穴８と小指通し穴９に夫々親指と小指とを通すことにより、手首対応部５と固定手段６を被った状態の折り返し部７を折り返し状態に保持するように構成してある。折り返し部７は、通気性と伸縮性のある薄手の生地で構成されるが、前記手袋本体２の生地と同じ生地で構成してもよく、別種の伸縮性のある薄手の生地で構成してもよい。この折り返し部７には、腕側端部から所定長さ切り欠いた折り返し促進用切欠き部１０が形成されている。
【００３５】
次に、以上説明した手袋１の作用、効果について説明する。
この手袋１は睡眠中にのみ使用するとは限らず、睡眠中以外のときでも、指で体の表面の患部を傷つけるのを防止する必要のある場合に、使用することができる。
アトピー製皮膚炎の子供が就寝する前に、左手に左手用の手袋１を装着し、右手に右手用の手袋を装着する。このとき、５本の指は対応する５つの指挿入部３ａ〜３ｅに挿入し、固定手段６の可動側ファスナー片６ｂを固定側ファスナー片６ａに結合させることで、手袋１の手首対応部５を手首の所に固定する。その後、折り返し部７を手側へ折り返して手首対応部５と固定手段６とを被った状態にしてから、折り返し部７を引っ張って指の方へ伸ばし、親指通し穴８に親指を通し、小指通し穴９に小指を通すと、図３に示す状態になる。
【００３６】
子供が睡眠中に、無意識に手袋１を外そうとしても、折り返し部７を伸ばして、親指を親指通り穴８からまた小指を小指通し穴９から外さない限り、折り返し部７を腕側へ戻すことができないため、固定手段６の固定を解除することができず、手袋１を外すことができない。そのため、夜の間中、手袋１を装着した状態が維持される。
【００３７】
その手袋１を着用したまま、体の痒い患部を引っ掻いたとしても、指や爪で患部を直接引っ掻くことができず、キャップ体４ａ〜４ｅを介して引っ掻くことになる。このとき、キャップ体４ａ〜４ｅの表面は低摩擦面となっていて硬く患部に対して滑りやすく、先端は突曲面状であり尖っていないので、患部に刺激を与えたり、患部を傷つけたりするのを確実に防止することができる。キャップ体４ａ〜４ｅが指の第１関節を被う長さを有するので、第１関節の機能を発揮できないから、一層引っ掻きにくくなる。
【００３８】
しかも、睡眠中に患部を引っ掻いたときの快感がなくなるため、引っ掻いても無駄であることが分かり、益々引っ掻かなくなる。指先で引っ掻くのを諦めて、指の第２，第３関節の付近や手の甲などで患部を擦ったとしても、手袋本体２を構成する生地がキュプラを主体とする滑り易い生地で、低摩擦であるため、効果的に患部を擦ったり引っ掻いたりできないから、患部に刺激して皮膚炎を悪化させることもない。
【００３９】
手袋１は非常に薄手の滑り易いキュプラを主体とする生地で構成されているため、手袋１を装着していてもあまり違和感がなく、手が暑苦しくなることも殆どないので、従来のものと比較して快適である。そして、手袋１を外したいという要求が強くなることもないから、睡眠中に手袋１を外さずに着用し続ける傾向が強くなる。手袋本体２は手首に被さる手首対応部５を有し、この手首対応部５を手首に固定する為の固定手段６を設けたので、固定手段６により手首対応部５を手首に固定することで、手袋１を手に装着した装着状態を保持することができる。手袋本体２の手首対応部５の腕側端部に連結されたほぼ筒状の折り返し部７を設けたので、手首対応部５の外面に折り返し部７を折り返しておくことで、睡眠中に無意識的に固定手段６を解除しにくくなる。
【００４０】
折り返し部７に親指通し穴８と小指通し穴９とを設け、これら親指通し穴８と小指通し穴９に夫々親指と小指とを通すことにより折り返し部７を折り返し状態に保持するように構成したので、睡眠中に手が激しく動いたとしても、また、無意識的に折り返し部７を折り返さない状態に戻そうとしても、親指と小指とから簡単には外れないため、折り返し部７を折り返し状態に保持し、固定手段６を固定状態に維持し、手袋１を着用状態に維持しやすくなる。キャップ体４ａ〜４ｅが接着により指挿入部３ａ〜３ｅに結合されているため、指挿入部  にキャップ体４ａ〜４ｅを強固に結合することができ、指挿入部３ａ〜３ｅにキャップ体４ａ〜４ｅを結合する構造が簡単になり、製作コスト的にも有利である。
【００４１】
折り返し部７が伸縮性のある薄手の布で構成され、この折り返し部７に、腕側端部から所定長さ切り欠いた折り返し促進用切欠き部１０を形成したので、着用中に折り返し部７で手首や手が締め付けられることがなく、折り返し部を折り返す際に折り返し易くなる。  しかも、指挿入部３ａ〜３ｅの先端部分に外嵌状にキャップ体４ａ〜４ｅを付設し、このキャップ体４ａ〜４ｅを介さずには指先等で患部を引っ掻くことができないように構成したため、手袋本体２を、十分に薄手の通気性に優れる生地を用いて製作することかできる。そのため、着用状態で手が暑苦しくない快適な手袋１を実現することができる。
【００４２】
次に、前記実施形態を部分的に変更する変更形態について説明する。
（１）前記キャップ体４ａ〜４ｅの長さは、指の第１関節を被う長さに形成することが望ましいが、第１関節を被わない長さであってもよく、或いは、指の第２関節や第３関節まで被う長さであってもよい。
【００４３】
（２）前記のキャップ体４ａ〜４ｅは硬質の合成樹脂材料製のものを例として説明したが、必ずしも、キャップ体の全体を硬質の合成樹脂材料で構成する必要はなく、キャップ体の少なくとも表層部を硬質の合成樹脂材料で構成し、表層部以外は軟質の合成樹脂材料で構成してもよい。また、前記キャップ体４ａ〜４ｅは予め射出成形にて製作後に、手袋本体２に接着にて固定したが、成形の際、手袋本体の指挿入部の内側に指型を挿入した状態で成形型にセットし、指挿入部の外面側にキャップ体を一体的に成形して固着してもよい。或いは、手袋本体２の指挿入部の先端部分に軟質の接着機能のある軟質合成樹脂層を形成し、その外側に硬質合成樹脂製のキャップ体本体を外嵌させて固着することも可能である。
【００４４】
（３）キャップ体４ａ〜４ｅは、その表面が低摩擦面となっていればよいので、キャップ体を軟質の低摩擦の合成樹脂材料で構成し、キャップ体の表面を低摩擦面に形成してもよい。
（４）キャップ体の形状は、前記実施形態のものに限定される訳ではなく、種々の形状のキャップ体を適用可能である。例えば、球形状のキャップ体も採用可能であり、この場合キャップ体の軽量化を図る為に、指の先端部分の形状に近い内壁体と、ほぼ球形の外壁体とで中空状のキャップ体とすることが望ましい。或いは、合成樹脂発泡体からなる球形状のキャップ体に構成し、その表面側に低摩擦合成樹脂からなる低摩擦層を形成し、表面を低摩擦面に構成する。キャップ体を球形状に構成すると、前記周縁部１１に相当する部位を患部に接触させることができなくなるという利点がある。
【００４５】
（５）前記固定手段６は一例を示すものに過ぎず、バンドと留め具式の固定手段を設けてもよく、ホック式の固定手段を設けてもよく、その他種々の固定手段を採用可能である。  尚、その他、本発明の趣旨を逸脱しない範囲で前記の実施形態に種々の変更を付加した形態にて実施可能であることは勿論である。
【図面の簡単な説明】
【００４６】
【図１】本発明の実施形態に係る手袋を示す図である。
【図２】指挿入部とキャップ体の要部断面図である。
【図３】折り返し部を折り返した状態の手袋を示す図である。
【符号の説明】
【００４７】
１          手袋              ２          手袋本体
３ａ〜３ｅ  指挿入部          ４ａ〜４ｅ  キャップ体
５          手首対応部        ６          固定手段
７          折り返し部        ８          親指通し穴
９          小指通し穴        １０        折り返し促進用切欠き部
【図１】
2005054337.tif 000003
【図２】
2005054337.tif 000004
【図３】
2005054337.tif 000005